(57)【特許請求の範囲】
【請求項１】
サブピクセルがストライプ状に配置されたディスプレイに表示される映像信号を処理する映像処理装置であって、
前記映像信号を前記ストライプに対して直交方向に隣り合う２画素ずつスキャンして、当該２画素のそれぞれにおいて最大値を有するサブピクセルである２つの明るいサブピクセルの間に１画素分以上連続する暗いサブピクセル群を検出する画素スキャン部と、
前記暗いサブピクセル群における少なくとも一つのサブピクセルを補正対象に決定する補正対象決定部と、
前記２画素に含まれる各サブピクセルの値に基づいて、前記補正対象のサブピクセルの補正値を算出する補正値算出部と、
前記補正対象のサブピクセルの値を前記補正値で大きくするサブピクセル補正部とを備えている
ことを特徴とする映像処理装置。
【請求項２】
請求項１に記載の映像処理装置において、
前記補正対象決定部は、前記暗いサブピクセル群のうち両端を除く残りにおける少なくとも一つのサブピクセルを補正対象に決定する
ことを特徴とする映像処理装置。
【請求項３】
請求項１および２のいずれか一つに記載の映像処理装置において、
前記画素スキャン部は、前記２つの明るいサブピクセルの間のサブピクセルの各々を中間サブピクセルとして、前記中間サブピクセルが１画素分以上連続する場合、これら中間サブピクセルを前記暗いサブピクセル群として検出する
ことを特徴とする映像処理装置。
【請求項４】
請求項１および２のいずれか一つに記載の映像処理装置において、
前記画素スキャン部は、前記２つの明るいサブピクセルの間のサブピクセルの各々を中間サブピクセルとして、前記中間サブピクセルが１画素分以上連続し、かつ、前記中間サブピクセルの各値が一定値未満の場合、これら中間サブピクセルを前記暗いサブピクセル群として検出する
ことを特徴とする映像処理装置。
【請求項５】
請求項１および２のいずれか一つに記載の映像処理装置において、
前記画素スキャン部は、前記２つの明るいサブピクセルの間のサブピクセルの各々を中間サブピクセルとして、前記中間サブピクセルが１画素分以上連続し、かつ、前記中間サブピクセルの合計値が一定値未満の場合、これら中間サブピクセルを前記暗いサブピクセル群として検出する
ことを特徴とする映像処理装置。
【請求項６】
請求項１および２のいずれか一つに記載の映像処理装置において、
前記画素スキャン部は、前記２つの明るいサブピクセルの間のサブピクセルの各々を中間サブピクセルとして、前記中間サブピクセルが１画素分以上連続し、かつ、前記中間サブピクセルの平均値が一定値未満の場合、これら中間サブピクセルを前記暗いサブピクセル群として検出する
ことを特徴とする映像処理装置。
【請求項７】
請求項１および２のいずれか一つに記載の映像処理装置において、
前記画素スキャン部は、前記２つの明るいサブピクセルの間のサブピクセルの各々を中間サブピクセルとして、前記中間サブピクセルが１画素分以上連続し、かつ、前記中間サブピクセルの各値と前記最大値を有するサブピクセルの値との差分が一定以上の場合、これら中間サブピクセルを前記暗いサブピクセル群として検出する
ことを特徴とする映像処理装置。
【請求項８】
請求項１および２のいずれか一つに記載の映像処理装置において、
前記画素スキャン部は、前記２画素のそれぞれから任意の一つのサブピクセルを選択し、当該選択した２つのサブピクセルが前記２つの明るいサブピクセルに該当し、かつ、当該選択した２つのサブピクセルの間のサブピクセル群が前記暗いサブピクセル群に該当するまで、サブピクセルを選択し直して前記暗いサブピクセル群を検出する
ことを特徴とする映像処理装置。
【請求項９】
請求項１および２のいずれか一つに記載の映像処理装置において、
前記画素スキャン部は、隣り合う２画素のそれぞれにおいて最大値を有するサブピクセルである２つの明るいサブピクセルおよびこれらの間に１画素分以上連続する暗いサブピクセル群からなるパターンを用いて前記２画素に対してパターンマッチングを行って前記暗いサブピクセル群を検出する
ことを特徴とする映像処理装置。
【請求項１０】
サブピクセルがストライプ状に配置されたディスプレイに表示される映像信号を処理する映像処理装置であって、
前記映像信号を前記ストライプに対して直交方向に隣り合う２画素ずつスキャンして、当該２画素のそれぞれにおいて最大値を有するサブピクセルである２つの明るいサブピクセルの間に１画素分以上連続する暗いサブピクセル群を検出し、
前記暗いサブピクセル群における少なくとも一つのサブピクセルを補正対象に決定し、
前記２画素に含まれる各サブピクセルの値に基づいて、前記補正対象のサブピクセルの補正値を算出し、
前記補正対象のサブピクセルの値を前記補正値で大きくする
ことを特徴とする映像処理装置。
【請求項１１】
サブピクセルがストライプ状に配置されたディスプレイに表示される映像信号を処理する映像処理方法であって、
画素スキャン部が、前記映像信号を前記ストライプに対して直交方向に隣り合う２画素ずつスキャンして、当該２画素のそれぞれにおいて最大値を有するサブピクセルである２つの明るいサブピクセルの間に１画素分以上連続する暗いサブピクセル群を検出するステップと、
補正対象決定部が、前記暗いサブピクセル群における少なくとも一つのサブピクセルを補正対象に決定するステップと、
補正値算出部が、前記２画素に含まれる各サブピクセルの値に基づいて、前記補正対象のサブピクセルの補正値を算出するステップと、
サブピクセル補正部が、前記補正対象のサブピクセルの値を前記補正値で大きくするステップとを備えている
ことを特徴とする映像処理方法。
【請求項１２】
請求項１から１０のいずれか一つに記載の映像処理装置と、
前記映像処理装置が処理した映像信号を表示するディスプレイとを備えている
ことを特徴とする映像表示装置。
【発明の詳細な説明】
【技術分野】
【０００１】
本発明は、ディスプレイに表示される映像を補正し、映像の再現性および精細感を向上させる映像処理装置および映像表示装置に関する。
【背景技術】
【０００２】
プラズマディスプレイや液晶ディスプレイといったディスプレイは大型化と高精細化が進み、テレビやパソコン用のモニタをはじめ、広く利用されている。これらのディスプレイには、カラー表示のため基本色を表示するサブピクセルが平面上に配置されている。サブピクセルから発色される基本色は互いに離れているが、サブピクセルどうし隣接しているため基本色が混ざって見えることで基本色以外の中間色を表現できている。これらのサブピクセルはあらかじめディスプレイ製造時に決められた区画に分かれており、配列も製造時に固定されている。【０００３】
一般的な３原色のサブピクセルで構成され、配列がストライプ型のディスプレイでは画素内のサブピクセルはＲＧＢの順に並べられている場合が多く見られる。表示する映像において左側に赤色、隣接して右側に青色が存在する場合、画素単位の制御では左側の画素はＲのサブピクセルのみが点灯し、右側の画素はＢのサブピクセルのみが点灯する。この場合、左側画素のＲのサブピクセルから右側画素のＢのサブピクセルまでの間には４個のサブピクセルが存在し消灯している。４個のサブピクセルが表示し得る映像は１．３画素分に当たり、これら１．３画素分のサブピクセルが消灯している状態では１．３画素分の隙間が黒い線となって表示されてしまう。【０００４】
従来、カラー表示可能な表示デバイスを用いて文字を高精細に表示することができる文字表示装置が知られている（例えば、特許文献１参照）。この文字表示装置によると、サブピクセルを独立して制御することで液晶ディスプレイに文字を表示する際のジャギーを目立たなくして、文字を高精細に表示することができる。
【先行技術文献】
【特許文献】
【０００５】
【特許文献１】特開２００１−１００７２５号公報
【発明の概要】
【発明が解決しようとする課題】
【０００６】
上記従来技術は文字表示に特化しているため、文字と背景以外における赤色の表示領域と青色の表示領域との色境界部分ではやはり隙間が生じる。サブピクセルの配列が左からＲＧＢの順である場合、画面上で左側に赤色、右側に青色が隣接すると、色境界部分に生じるサブピクセルの隙間は１．３画素分に相当するため、色境界部分に黒く隙間があるように視認してしまうおそれがある。【０００７】
上記問題に鑑み、本発明は、サブピクセルがストライプ状に配置されたディスプレイに表示される映像の色境界部分に生じる黒い線を目立たなくして映像の再現性および精細感を向上させることを課題とする。
【課題を解決するための手段】
【０００８】
本発明の一局面に従うと、サブピクセルがストライプ状に配置されたディスプレイに表示される映像信号を処理する映像処理装置は、前記映像信号を前記ストライプに対して直交方向に隣り合う２画素ずつスキャンして、当該２画素において、２つの明るいサブピクセルの間に１画素分以上連続する暗いサブピクセル群を検出する画素スキャン部と、前記暗いサブピクセル群における少なくとも一つのサブピクセルを補正対象に決定する補正対象決定部と、前記２画素に含まれる各サブピクセルの値に基づいて、前記補正対象のサブピクセルの補正値を算出する補正値算出部と、前記補正対象のサブピクセルの値を前記補正値で大きくするサブピクセル補正部とを備えている。【０００９】
これによると、サブピクセルのストライプに対して直交方向に隣り合う２画素において、２つの明るいサブピクセルの間に１画素分以上連続する暗いサブピクセル群における少なくとも一つのサブピクセルの値が大きくなるように補正されるため、色境界部分における黒い隙間が目立たなくなる。【００１０】
好ましくは、前記補正対象決定部は、前記暗いサブピクセル群のうち両端を除く残りにおける少なくとも一つのサブピクセルを補正対象に決定する。【００１１】
例えば、前記画素スキャン部は、前記２つの明るいサブピクセルとして前記２画素のそれぞれから最大値のサブピクセルを検出し、当該検出した２つのサブピクセルの間に値が閾値よりも小さいまたは値が相対的に小さいサブピクセルが１画素分以上連続する場合、これらサブピクセルを前記暗いサブピクセル群として検出する。【００１２】
また、例えば、前記画素スキャン部は、前記２画素のそれぞれから任意の一つのサブピクセルを選択し、当該選択した２つのサブピクセルが前記２つの明るいサブピクセルに該当し、かつ、当該選択した２つのサブピクセルの間のサブピクセル群が前記暗いサブピクセル群に該当するまで、サブピクセルを選択し直して前記暗いサブピクセル群を検出する。【００１３】
また、例えば、前記画素スキャン部は、２つの明るいサブピクセルおよびこれらの間に１画素分以上連続する暗いサブピクセル群からなるパターンを用いて前記２画素に対してパターンマッチングを行って前記暗いサブピクセル群を検出する。
【発明の効果】
【００１４】
本発明によると、サブピクセルがストライプ状に配置されたディスプレイに表示される映像の色境界部分に生じる黒い線を目立たなくして映像の再現性および精細感を向上させることができる。
【図面の簡単な説明】
【００１５】
【図１】図１は、本発明の一実施形態に係る映像処理装置の構成図である。
【図２】図２は、３原色のサブピクセルで構成された画素の模式図である。
【図３】図３は、赤色の表示領域と青色の表示領域との色境界部分の画素を拡大した模式図である。
【図４】図４は、赤色の表示領域と緑色の表示領域との色境界部分の画素を拡大した模式図である。
【図５】図５は、緑色の表示領域と青色の表示領域との色境界部分の画素を拡大した模式図である。
【図６】図６は、一例に係る暗いサブピクセル群検出のフローチャートである。
【図７】図７は、別例に係る暗いサブピクセル群検出のフローチャートである。
【図８】図８は、さらに別例に係る暗いサブピクセル群検出のフローチャートである。
【図９】図９は、図３に示した映像信号を処理した例を示す図である。
【図１０】図１０は、図４に示した映像信号を処理した例を示す図である。
【図１１】図１１は、図５に示した映像信号を処理した例を示す図である。
【図１２】図１２は、本発明の一実施形態に係る映像表示装置の外観図である。
【発明を実施するための形態】
【００１６】
（映像処理装置の実施形態）
図１は、本発明の一実施形態に係る映像処理装置の構成を示す。当該映像処理装置１０は、画素スキャン部１２、補正対象決定部１４、補正値算出部１６、およびサブピクセル補正部１８を備えている。映像処理装置１０は、プログラマブルデバイスなどのハードウェアやＣＰＵなどで実行されるコンピュータプログラムなどで実現可能である。映像処理装置１０は、入力された映像信号に対して所定の条件を満たすサブピクセルの値を大きくする補正を行う。映像処理装置１０に入力される映像信号は、プラズマディスプレイや液晶ディスプレイなどの、サブピクセルがストライプ状に配置されたディスプレイに表示される映像信号である。以下、説明の便宜のため、映像信号はＲＧＢからなる３原色の映像信号であるとするが、映像処理装置１０は４原色以上の映像信号でも処理可能である。
【００１７】
図２は、３原色のサブピクセルで構成された画素を模式的に示す。４つの画素Ｐ＊（ただし、＊は１から４のいずれかである。）は、それぞれ、赤色を発光するサブピクセルＲ＊、緑色を発光するサブピクセルＧ＊、および青色を発光するサブピクセルＢ＊からなり、これらサブピクセルは図示したようにディスプレイの水平ライン上に、向かって左からＲＧＢの順に配置されている。すなわち、図２の例では、ディスプレイの垂直方向にストライプが延びている。なお、図２では４つの画素しか示していないが、実際のディスプレイにはこのような画素が垂直方向および水平方向に多数配置されている。また、ディスプレイに向かって上または下からＲＧＢの順にサブピクセルが配置されたディスプレイもある。そのようなディスプレイでは、ディスプレイの水平方向にストライプが延びている。
【００１８】
図１に戻り、画素スキャン部１２は、入力された映像信号を、ストライプに対して直交方向に隣り合う２画素ずつスキャンして、当該２画素において、２つの明るいサブピクセルの間に１画素分以上連続する暗いサブピクセル群を検出する。ここで、暗いサブピクセルとは、１）ディスプレイに表示された場合に黒と視認され得るサブピクセルのことであり、例えば、値が閾値よりも小さい、すなわち、値が絶対的に小さいサブピクセルや、２）２つの明るいサブピクセルと比較して値が小さい、すなわち、値が相対的に小さいサブピクセルなどがこれに該当する。
【００１９】
例えば、図３に示したように、赤色の表示領域と青色の表示領域との色境界部分では、画素Ｐ２のサブピクセルＲ２および画素Ｐ３のサブピクセルＢ３は点灯しているため明るく、それらの間のサブピクセルＧ２，Ｂ２，Ｒ３，Ｇ３は消灯しているため暗い。また、例えば、図４に示したように、赤色の表示領域と緑色の表示領域との色境界部分では、画素Ｐ２のサブピクセルＲ２および画素Ｐ３のサブピクセルＧ３は明るく、それらの間のサブピクセルＧ２，Ｂ２，Ｒ３は暗い。同様に、図５に示したように、緑色の表示領域と青色の表示領域との色境界部分では、画素Ｐ２のサブピクセルＧ２および画素Ｐ３のサブピクセルＢ３は明るく、それらの間のサブピクセルＢ２，Ｒ３，Ｇ３は暗い。
【００２０】
次に、画素スキャン部１２による暗いサブピクセル群の検出について、いくつかの具体例を説明する。
【００２１】
＜第１の検出方法＞
図６は、一例に係る暗いサブピクセル群検出のフローを示す。まず、画素スキャン部１２は、隣り合う２画素の映像信号に基づいて、それぞれの画素から、最大輝度、すなわち最大値のサブピクセルを検出する（Ｓ１０）。なお、処理対象とする２画素として、１）すべての隣接した２画素、２）各サブピクセルの値が一定以上であるような２画素、３）サブピクセルの平均値が一定以上であるような２画素、４）サブピクセルの合計値が一定以上であるような２画素、などが考えられる。これら条件のいずれを適用するかについては、補正後の映像信号を表示するディスプレイの画素ピッチなどの特性に応じて決めるようにしてもよい。
【００２２】
次に、画素スキャン部１２は、検出した最大値のサブピクセル間のサブピクセル（以下、中間サブピクセルと称する。）の個数を検出する（Ｓ１１）。もし、中間サブピクセルの個数が１画素分以上でなければ検出処理は終了する（Ｓ１２のＮＯ）。１画素分とは、３原色の映像信号では３個であり、４原色の映像信号では４個である。このように、映像信号の原色数によって１画素分に相当する個数が異なるため、１画素分の個数は固定せずにパラメータによって指定するようにしてもよい。
【００２３】
中間サブピクセルの個数が１画素分以上であれば（Ｓ１２のＹＥＳ）、画素スキャン部１２は、中間サブピクセルの各値を取得する（Ｓ１３）。そして、中間サブピクセルが暗いサブピクセル群に該当しなければ検出処理は終了する（Ｓ１４のＮＯ）。一方、該当すれば（Ｓ１４のＹＥＳ）、中間サブピクセルを暗いサブピクセル群として検出する（Ｓ１５）。なお、中間サブピクセルが暗いサブピクセル群に該当するかどうかの判断基準として、１）値に関係なく中間サブピクセルならすべて、２）中間サブピクセルの各値が一定値未満の場合、３）中間サブピクセルの合計値が一定値未満の場合、４）中間サブピクセルの平均値が一定値未満の場合、５）中間サブピクセルの各値と最大値のサブピクセルの値との差分が一定以上の場合、などが考えられる。これら条件のいずれを適用するかについては、補正後の映像信号を表示するディスプレイの画素ピッチなどの特性に応じて決めるようにしてもよい。
【００２４】
＜第２の検出方法＞
図７は、別例に係る暗いサブピクセル群検出のフローを示す。まず、画素スキャン部１２は、隣り合う２画素の映像信号に基づいて、それぞれの画素から、任意の一つのサブピクセルを選択する（Ｓ２０）。選択した２つのサブピクセルが同色であれば、別のサブピクセルを選択するためにステップＳ２０に戻る（Ｓ２１のＹＥＳ）。選択した２つのサブピクセルが同色でなければ（Ｓ２１のＮＯ）、画素スキャン部１２は、選択したサブピクセル間のサブピクセル（以下、中間サブピクセルと称する。）の個数を検出する（Ｓ２２）。もし、中間サブピクセルの個数が１画素分以上でなければ検出処理は終了する（Ｓ２３のＮＯ）。１画素分とは、３原色の映像信号では３個であり、４原色の映像信号では４個である。このように、映像信号の原色数によって１画素分に相当する個数が異なるため、１画素分の個数は固定せずにパラメータによって指定するようにしてもよい。
【００２５】
中間サブピクセルの個数が１画素分以上であれば（Ｓ２３のＹＥＳ）、画素スキャン部１２は、選択した２つのサブピクセルの値を取得する（Ｓ２４）。もし、いずれか一方のサブピクセルが暗い、すなわち値が小さければ（Ｓ２５のＹＥＳ）、当該サブピクセルとは別のサブピクセルを選択するためにステップＳ２０に戻る（Ｓ２５のＹＥＳ）。一方、選択した２つのサブピクセルがいずれも明るいサブピクセルであれば（Ｓ２５のＮＯ）、画素スキャン部１２は、中間サブピクセルの各値を取得する（Ｓ２６）。そして、中間サブピクセルが暗いサブピクセル群に該当しなければ別のサブピクセルを選択するためにステップＳ２０に戻る（Ｓ２７のＮＯ）。一方、該当すれば（Ｓ２７のＹＥＳ）、中間サブピクセルを暗いサブピクセル群として検出する（Ｓ２８）。中間サブピクセルが暗いサブピクセル群に該当するかどうかの判断基準は上述した通りである。
【００２６】
なお、ステップＳ２４において、１）選択した２つのサブピクセルの各値が一定以上、２）選択した２つのサブピクセルの平均値が一定以上、３）選択した２つのサブピクセルの合計値が一定以上、のいずれかの場合にはステップＳ２５に進み、そうでない場合には検出処理を終了するようにしてもよい。これら条件のいずれを適用するかについては、補正後の映像信号を表示するディスプレイの画素ピッチなどの特性に応じて決めるようにしてもよい。
【００２７】
＜第３の検出方法＞
図８は、さらに別例に係る暗いサブピクセル群検出のフローを示す。まず、画素スキャン部１２は、隣り合う２画素の映像信号に基づいて、当該２画素に対してパターンマッチングを行う。用いるパターンは、１）２つの明るいサブピクセルおよびこれらの間の３個の暗いサブピクセルからなるパターン、２）２つの明るいサブピクセルおよびこれらの間の４個の暗いサブピクセルからなるパターン、３）２つの明るいサブピクセルおよびこれらの間の５個の暗いサブピクセルからなるパターン、などである。なお、３番目に挙げたパターンは映像信号が４原色の場合に用いるパターンである。なお、各パターンにおける「明るい」および「暗い」は、閾値として設定することができる。
【００２８】
パターンマッチングの結果、パターンに一致するサブピクセルが見つからなければ検出処理は終了する（Ｓ３１のＮＯ）。一方、パターンに一致するサブピクセルが見つかれば（Ｓ３１のＹＥＳ）、当該パターンの「暗い」に一致するサブピクセルを暗いサブピクセル群として検出する（Ｓ３２）。
【００２９】
図１に戻り、補正対象決定部１４は、画素スキャン部１２が検出した暗いサブピクセル群における少なくとも一つのサブピクセルを補正対象に決定する。補正対象として、１）２つの明るいサブピクセルのうち暗い方と同色のサブピクセル、２）２つの明るいサブピクセルのうち明るい方と同色のサブピクセル、３）２つの明るいサブピクセルのうち暗い方に隣接したサブピクセル、４）２つの明るいサブピクセルのうち明るい方に隣接したサブピクセル、５）暗いサブピクセル群の中央のサブピクセル、６）暗いサブピクセル群の中央の２つのサブピクセルのうち暗い方のサブピクセル、７）暗いサブピクセル群の中央の２つのサブピクセルのうち明るい方のサブピクセル、８）暗いサブピクセル群の中央の２つのサブピクセルのうち２つの明るいサブピクセルの明るい方に近い方のサブピクセル、９）暗いサブピクセル群の中央の２つのサブピクセルのうち２つの明るいサブピクセルの暗い方に近い方のサブピクセル、１０）上記１）から９）の条件の組み合わせ、１１）暗いサブピクセル群のすべて、が考えられる。これら条件のいずれを適用するかについては、補正後の映像信号を表示するディスプレイの画素ピッチなどの特性に応じて決めるようにしてもよい。
【００３０】
補正値算出部１６は、画素スキャン部１２によってスキャンされた２画素に含まれる各サブピクセルの値に基づいて、補正対象決定部１４が決定した補正対象のサブピクセルの補正値を算出する。補正値として、ａ）２つの明るいサブピクセルのうち補正対象のサブピクセルと同色のサブピクセルの値、ｂ）２つの明るいサブピクセルのうち明るい方のサブピクセルの値、ｃ）２つの明るいサブピクセルのうち暗い方のサブピクセルの値、ｄ）２つの明るいサブピクセルのうち補正対象のサブピクセルと同色のサブピクセルの値と補正前のサブピクセルの値との平均値、ｅ）暗いサブピクセル群中の最大値、ｆ）暗いサブピクセル群の平均値、ｇ）暗いサブピクセル群の合計値、が考えられる。これら条件のいずれを適用するかについては、補正後の映像信号を表示するディスプレイの画素ピッチなどの特性に応じて決めるようにしてもよい。
【００３１】
サブピクセル補正部１８は、補正対象決定部１４が決定した補正対象のサブピクセルの値を、補正値算出部１６が算出した補正値で大きくする補正をし、補正後の映像信号を出力する。
【００３２】
次に、本実施形態に係る映像処理装置１０による映像信号の処理例をいくつか紹介する。
【００３３】
＜図３に示した映像信号の処理例＞
隣り合う画素Ｐ１，Ｐ２では１画素分以上の暗いサブピクセル群が検出されないため、暗いサブピクセルＧ１，Ｂ１は補正対象とはならない。また、隣り合う画素Ｐ３，Ｐ４でも１画素分以上の暗いサブピクセル群が検出されないため、暗いサブピクセルＲ４，Ｇ４は補正対象とはならない。一方、隣り合う画素Ｐ２，Ｐ３ではサブピクセルＧ２，Ｂ２，Ｒ３，Ｇ３が１画素分以上連続する暗いサブピクセル群として検出され、これらのうち少なくとも一つが補正される。
【００３４】
図９は、図３に示した映像信号を処理した例を示す。図９（ａ）の例では、画素Ｐ２におけるサブピクセルＢ２の値が補正されている。ｉ）サブピクセルＢ３がサブピクセルＲ２よりも暗い場合において上記１）の条件に従った場合、ｉｉ）サブピクセルＢ３がサブピクセルＲ２よりも明るい場合において上記２）の条件に従った場合、ｉｉｉ）サブピクセルＢ２がサブピクセルＲ３よりも暗い場合において上記６）の条件に従った場合、ｉｖ）サブピクセルＢ２がサブピクセルＲ３よりも明るい場合において上記７）の条件に従った場合、ｖ）サブピクセルＲ２がサブピクセルＢ３よりも明るい場合において上記８）の条件に従った場合、ｖｉ）サブピクセルＲ２がサブピクセルＢ３よりも暗い場合において上記９）の条件に従った場合、のいずれかにおいて、サブピクセルＢ２が補正対象として決定される。また、例えば、上記ａ）の条件に従って、サブピクセルＢ２の値はサブピクセルＢ３の値と同じになるように補正されている。
【００３５】
図９（ｂ）の例では、画素Ｐ３におけるサブピクセルＲ３の値が補正されている。ｉ）サブピクセルＲ２がサブピクセルＢ３よりも暗い場合において上記１）の条件に従った場合、ｉｉ）サブピクセルＲ２がサブピクセルＢ３よりも明るい場合において上記２）の条件に従った場合、ｉｉｉ）サブピクセルＲ３がサブピクセルＢ２よりも暗い場合において上記６）の条件に従った場合、ｉｖ）サブピクセルＲ３がサブピクセルＢ２よりも明るい場合において上記７）の条件に従った場合、ｖ）サブピクセルＢ３がサブピクセルＲ２よりも明るい場合において上記８）の条件に従った場合、ｖｉ）サブピクセルＢ３がサブピクセルＲ２よりも暗い場合において上記９）の条件に従った場合、のいずれかにおいて、サブピクセルＲ３が補正対象として決定される。また、例えば、上記ａ）の条件に従って、サブピクセルＲ３の値はサブピクセルＲ２の値と同じになるように補正されている。
【００３６】
図９（ｃ）の例では、画素Ｐ２におけるサブピクセルＢ２および画素Ｐ３におけるサブピクセルＲ３の値が補正されている。ｉ）上記５）の条件に従った場合、ｉｉ）上記１）および２）の条件を組み合わせた場合、ｉｉｉ）上記６）および７）の条件を組み合わせた場合、ｉｖ）上記８）および９）の条件を組み合わせた場合、のいずれかにおいて、サブピクセルＢ２，Ｒ３が補正対象として決定される。また、例えば、上記ａ）の条件に従って、サブピクセルＢ２の値はサブピクセルＢ３の値と同じになるように、また、サブピクセルＲ３の値はサブピクセルＲ２の値と同じになるように、それぞれ補正されている。
【００３７】
図９（ｄ）の例では、画素Ｐ２におけるサブピクセルＧ２および画素Ｐ３におけるサブピクセルＧ３の値が補正されている。上記３）および４）の条件を組み合わせた場合、サブピクセルＧ２，Ｇ３が補正対象として決定される。また、サブピクセルＧ２，Ｇ３の値は、上記ｂ）、ｃ）、ｅ）、ｆ）、ｇ）のいずれかの条件に従って補正されている。
【００３８】
なお、上記例以外にも、例えば、画素Ｐ２におけるサブピクセルＧ２の値のみを補正する場合、および、画素Ｐ３におけるサブピクセルＧ３の値のみを補正する場合が考えられる。しかし、これらの場合、補正後もなお１画素分以上連続する暗いサブピクセル群が残るため、暗いサブピクセル群のうち両端を除く残りにおける少なくとも一つのサブピクセルを補正対象に決定することが好ましい。
【００３９】
＜図４に示した映像信号の処理例＞
隣り合う画素Ｐ１，Ｐ２では１画素分以上の暗いサブピクセル群が検出されないため、暗いサブピクセルＧ１，Ｂ１は補正対象とはならない。また、隣り合う画素Ｐ３，Ｐ４でも１画素分以上の暗いサブピクセル群が検出されないため、暗いサブピクセルＢ３，Ｒ４は補正対象とはならない。一方、隣り合う画素Ｐ２，Ｐ３ではサブピクセルＧ２，Ｂ２，Ｒ３が１画素分以上連続する暗いサブピクセル群として検出され、これらのうち少なくとも一つが補正される。
【００４０】
図１０は、図４に示した映像信号を処理した例を示す。図１０（ａ）の例では、画素Ｐ３におけるサブピクセルＲ３の値が補正されている。ｉ）サブピクセルＲ２がサブピクセルＧ３よりも暗い場合において上記１）の条件に従った場合、ｉｉ）サブピクセルＲ２がサブピクセルＧ３よりも明るい場合において上記２）の条件に従った場合、ｉｉｉ）サブピクセルＧ３がサブピクセルＲ２よりも暗い場合において上記３）の条件に従った場合、ｉｖ）サブピクセルＧ３がサブピクセルＲ２よりも明るい場合において上記４）の条件に従った場合、のいずれかにおいて、サブピクセルＲ３が補正対象として決定される。また、例えば、上記ａ）の条件に従って、サブピクセルＲ３の値はサブピクセルＲ２の値と同じになるように補正されている。
【００４１】
図１０（ｂ）の例では、画素Ｐ２におけるサブピクセルＧ２の値が補正されている。ｉ）サブピクセルＧ３がサブピクセルＲ２よりも暗い場合において上記１）の条件に従った場合、ｉｉ）サブピクセルＧ３がサブピクセルＲ２よりも明るい場合において上記２）の条件に従った場合、ｉｉｉ）サブピクセルＲ２がサブピクセルＧ３よりも暗い場合において上記３）の条件に従った場合、ｉｖ）サブピクセルＲ２がサブピクセルＧ３よりも明るい場合において上記４）の条件に従った場合、のいずれかにおいて、サブピクセルＧ２が補正対象として決定される。また、例えば、上記ａ）の条件に従って、サブピクセルＧ２の値はサブピクセルＧ３の値と同じになるように補正されている。
【００４２】
＜図５に示した映像信号の処理例＞
隣り合う画素Ｐ１，Ｐ２では１画素分以上の暗いサブピクセル群が検出されないため、暗いサブピクセルＢ１，Ｒ２は補正対象とはならない。また、隣り合う画素Ｐ３，Ｐ４でも１画素分以上の暗いサブピクセル群が検出されないため、暗いサブピクセルＲ４，Ｇ４は補正対象とはならない。一方、隣り合う画素Ｐ２，Ｐ３ではサブピクセルＢ２，Ｒ３，Ｇ３が１画素分以上連続する暗いサブピクセル群として検出され、これらのうち少なくとも一つが補正される。
【００４３】
図１１は、図５に示した映像信号を処理した例を示す。図１１（ａ）の例では、画素Ｐ２におけるサブピクセルＢ２の値が補正されている。ｉ）サブピクセルＢ３がサブピクセルＧ２よりも暗い場合において上記１）の条件に従った場合、ｉｉ）サブピクセルＢ３がサブピクセルＧ２よりも明るい場合において上記２）の条件に従った場合、ｉｉｉ）サブピクセルＢ３がサブピクセルＧ２よりも暗い場合において上記３）の条件に従った場合、ｉｖ）サブピクセルＢ３がサブピクセルＧ２よりも明るい場合において上記４）の条件に従った場合、のいずれかにおいて、サブピクセルＢ２が補正対象として決定される。また、例えば、上記ａ）の条件に従って、サブピクセルＢ２の値はサブピクセルＢ３の値と同じになるように補正されている。
【００４４】
図１１（ｂ）の例では、画素Ｐ３におけるサブピクセルＧ３の値が補正されている。ｉ）サブピクセルＧ２がサブピクセルＢ３よりも暗い場合において上記１）の条件に従った場合、ｉｉ）サブピクセルＧ２がサブピクセルＢ３よりも明るい場合において上記２）の条件に従った場合、ｉｉｉ）サブピクセルＧ２がサブピクセルＢ３よりも暗い場合において上記３）の条件に従った場合、ｉｖ）サブピクセルＧ２がサブピクセルＢ３よりも明るい場合において上記４）の条件に従った場合、のいずれかにおいて、サブピクセルＧ３が補正対象として決定される。また、例えば、上記ａ）の条件に従って、サブピクセルＧ３の値はサブピクセルＧ２の値と同じになるように補正されている。
【００４５】
以上のように、本実施形態に係る映像処理装置１０で映像信号を処理することによって、２つの明るいサブピクセルの間で１画素分以上連続する暗いサブピクセル群がなくなる。これにより、色境界部分における黒い線が目立たなくなり、映像の再現性および精細感を向上させることができる。
【００４６】
なお、全体的に暗い映像信号では色境界部分の黒い線はあまり目立たないため、そのような映像信号については映像処理装置１０の処理対象外としてもよい。これにより、映像処理装置１０の消費電力を低減することができる。
【００４７】
また、上記の映像信号処理を並列化してもよい。例えば、偶数番目からの２画素と奇数番目からの２画素とを同時に処理してもよい。あるいは、任意の２つの２画素を同時に処理してもよい。これにより、処理速度を向上することができる。
【００４８】
なお、映像信号処理を並列化する場合には次のことに留意すべきである。例えば、連続する３つ画素において、左端の第１番目の画素ではＲのサブピクセルのみ点灯し、真ん中の第２番目の画素ではＧのサブピクセルのみ点灯し、右端の第３番目の画素ではＢのサブピクセルのみ点灯しているとする。ここで、第１番目および第２番目の２画素の信号処理によって第２番目の画素のＲのサブピクセルが点灯するように補正され、またこれと並列に実行される第２番目および第３番目の２画素の信号処理によって第２番目の画素のＢのサブピクセルが点灯されるように補正された場合、補正後の第２番目の画素は全サブピクセルが点灯して白と視認されるおそれがある。したがって、信号処理がオーバーラップする画素については全サブピクセルが点灯しないような措置を講じるべきである。一例として、暗いサブピクセル群のうち両端は補正せずに、両端を除く残りにおける少なくとも一つのサブピクセルを補正するようにすれば、補正対象の画素の全サブピクセルが点灯するといった問題を回避することができる。
【００４９】
（映像表示装置の実施形態）
図１２は、本発明の一実施形態に係る映像表示装置の外観を示す。当該映像表示装置は上記の映像処理装置１０を内蔵しており、映像処理装置１０が処理した映像信号がディスプレイ２０に表示されるようになっている。ディスプレイ２０は、プラズマディスプレイや液晶ディスプレイなどの、サブピクセルがストライプ状に配置されたディスプレイである。当該映像表示装置によると、映像処理装置１０で処理した映像信号をディスプレイ２０に表示することで色境界部分における黒い線が目立たなくなり、再現性および精細感に優れた映像をユーザーに提供することができる。
【産業上の利用可能性】
【００５０】
本発明に係る映像処理装置は、映像の色境界部分に生じる黒い線を目立たなくして映像の再現性および精細感を向上させることができるため、ＤＴＰ、デジタルサイネージ、パブリックビューイング、国旗表示ディスプレイなどの他、液晶ディスプレイのタイミングコントローラの機能として好適である。
【符号の説明】
【００５１】
１０  映像処理装置
１２  画素スキャン部
１４  補正対象決定部
１６  補正値算出部
１８  サブピクセル補正部
２０  ディスプレイ
Ｐ＊  画素
Ｒ＊  サブピクセル
Ｇ＊  サブピクセル
Ｂ＊  サブピクセル
【図１】
0005884089.tif 000002
【図２】
0005884089.tif 000003
【図３】
0005884089.tif 000004
【図４】
0005884089.tif 000005
【図５】
0005884089.tif 000006
【図６】
0005884089.tif 000007
【図７】
0005884089.tif 000008
【図８】
0005884089.tif 000009
【図９】
0005884089.tif 000010
【図１０】
0005884089.tif 000011
【図１１】
0005884089.tif 000012
【図１２】
0005884089.tif 000013